(57)【要約】【課題】主に自動車のワイパー制御装置に関し、短い間欠時間に設定変更した時に、直ぐにワイパー動作が行なわれ、使い勝手の良いものを提供することを目的とする。【解決手段】第１の可変抵抗３の操作部１Ｂに連動する第２の可変抵抗２１を設けて、第２の可変抵抗２１からの出力電圧の所定の変化を増幅部２３や信号保持部２５などからなる検出手段２６によって検出すると共にこの変化に応じてＡ／Ｄ変換部８やリレー７などからなるスイッチング手段９を駆動させることによって、雨量が増加した場合など短い間欠時間に設定変更すると共に直ぐにワイパーが動作するため、良好な前方視界を早めに得ることができ使い勝手の良いワイパー制御装置を実現することができる。【選択図】図１
2009096244.tif 000002
【特許請求の範囲】
【請求項１】
レバー部の複数の操作位置に応じて電気的接離が行なわれる複数のスイッチ接点と、上記操作位置が間欠動作モードにおいて、間欠時間を制御する可変手段である第１の可変抵抗及び第１のコンデンサと、上記可変手段からの出力によりワイパーを作動させるスイッチング手段からなり、上記第１の可変抵抗の操作部の操作に連動する第２の可変抵抗を設けると共に、この第２の可変抵抗からの出力電圧の所定の変化に応じて上記スイッチング手段を駆動させる検出手段を設けたワイパー制御装置。
【発明の詳細な説明】
【技術分野】
【０００１】
本発明は、主に自動車のウインドシールドガラスを払拭するワイパーの動作をレバースイッチ等の操作により制御するワイパー制御装置に関するものである。
【背景技術】
【０００２】
近年、自動車等のステアリング近傍に配置されたレバースイッチを揺動操作等することによって、ワイパーの動作速度や間欠動作の時間間隔を可変するワイパー制御装置が広く用いられている。
【０００３】
このような従来のワイパー制御装置について、図６〜図７を用いて説明する。
【０００４】
図６は従来のワイパー制御装置のブロック回路図であり、同図において、１は絶縁樹脂製で略円筒状のレバー部で、略箱状のケース（図示せず）に複数の操作位置に揺動操作可能に装着されると共に、ケース内にはレバー部１の操作位置に応じて、所定の個別接点が例えばバッテリーなどのＤＣ１２Ｖの電源部２と接続される複数のスイッチ接点１Ａが設けられている。
【０００５】
そして、３は間欠動作モードであるＩＮＴ位置のスイッチ接点１Ａに一端が接続された第１の可変抵抗で、他端が第１のコンデンサ４に接続され、レバー部１先端近傍の略リング状の操作部１Ｂの回動操作に伴ってその抵抗値が変化するようにしてレバースイッチ５が形成されている。
【０００６】
なお、第１の可変抵抗３と第１のコンデンサ４により間欠動作の時間間隔を制御する可変手段６が形成されている。
【０００７】
また、７はリレー、８はトランジスタ等でアナログ信号をデジタル信号に変換するＡ／Ｄ変換部で、リレー７の開閉部７Ａがスイッチ接点１Ａとワイパーのモーター部１１との間に接続され、第１の可変抵抗３と第１のコンデンサ４との間がダイオードやＡ／Ｄ変換部８を介してリレー７に接続されてスイッチング手段９が形成され、これらレバースイッチ５や可変手段６及びスイッチング手段９等によってワイパー制御装置１０が構成されている。
【０００８】
そして、１１はワイパーを作動するモーター部で、ＭＩＳＴやＬｏ及びＨｉ位置の各スイッチ接点１Ａやリレー７の開閉部７Ａの他端及び第１のコンデンサ４の他端がコネクタ等（図示せず）を介して接続されている。
【０００９】
また、１２はモーター部１１内に設けられた切換スイッチで、共通接点１２Ａが第１のコンデンサ４に接続されると共に、可動接点１２Ｂがワイパーの動作開始時には電源部２側の個別接点に、ワイパーの１往復動作終了時にはグランド側の個別接点に各々接続を切り換えるようになっている。
【００１０】
以上の構成において、図６に示すように、レバー部１をＯＦＦ位置から上方のＩＮＴ位置に揺動操作して電源部２とＩＮＴ位置のスイッチ接点１Ａが接続すると、ワイパー制御装置１０は間欠動作のモードになる。
【００１１】
そして、第１の可変抵抗３を介して電流が第１のコンデンサ４に充電され、図７（ａ）の電圧波形図の一つ目の波形に示すように、電流値に応じて次第に充電電圧が上昇し所定の閾値電圧Ｖｓに達すると、Ａ／Ｄ変換部８がリレー７に駆動信号を出力して開閉部７Ａが閉接し、モーター部１１が電源部２に接続されて、図７（ｂ）のタイムチャートに示すように、ワイパーが動作する。
【００１２】
なお、第１のコンデンサ４の閾値電圧Ｖｓまでの充電時間Ｔｉは、操作部１Ｂの操作によって設定された第１の可変抵抗３の抵抗値によって変化し、抵抗値が大きい場合は電流値が小さくなるため充電時間は長くなり、抵抗値が小さい場合は電流値が大きくなるため充電時間は短くなって、この充電時間Ｔｉがワイパー動作の間欠時間Ｔｉとなっている。
【００１３】
次に、通電されたモーター部１１によってワイパーが動作し始めると、切換スイッチ１２の可動接点１２Ｂがグランド側から電源部２側に接続を切り換えるため、モーター部１１が継続してワイパーを動作させると共に、同時に第１のコンデンサ４が放電する。
【００１４】
さらに、図７（ｂ）に示すように、ワイパーが動作時間Ｔａで１往復動作すると、切換スイッチ１２が電源部２側からグランド側へ接続を切り換えて、ワイパー動作が停止すると共に、第１の可変抵抗３を介して通電された第１のコンデンサ４が再び充電を開始する。
【００１５】
そして、以降、図７（ａ）の一つ目の波形と同様に、第１のコンデンサ４が充電して充電時間Ｔｉで閾値電圧Ｖｓに達すると、スイッチング手段９によってモーター部１１が通電されワイパーが動作するようにして、間欠時間Ｔｉでワイパー動作を繰返すようになっている。
【００１６】
このような構成において、例えば雨量が少なく約２０秒の長い間欠時間に設定していた状態から、雨量が多くなって約３秒の短い間欠時間に設定変更する場合について説明する。
【００１７】
まず、図７（ａ）の二つ目の電圧波形に示すように、長い間欠時間の設定で第１のコンデンサ４がｔ１時点から徐々に充電中のｔ２時点において、第１の可変抵抗３の操作部１Ｂを操作して抵抗値を小さくする。
【００１８】
そして、この時、第１のコンデンサ４は充電速度を速めるが、例えば２秒程の充電時間Ｔｃを要して閾値電圧Ｖｓに達し、ワイパーが動作し始める。
【００１９】
この後、図７（ｂ）に示すように、ワイパーが動作時間Ｔａで１往復動作後、設定された約３秒の短い間欠時間Ｔｘでワイパー動作を繰返すように構成されているものであった。
【００２０】
なお、この出願の発明に関連する先行技術文献情報としては、例えば、特許文献１が知られている。
【特許文献１】特開平８−２８２４４６号公報
【発明の開示】
【発明が解決しようとする課題】
【００２１】
しかしながら、上記従来のワイパー制御装置１０においては、雨量が増加して、長い間欠時間の設定から短い間欠時間に設定変更した時に、ワイパー動作までに第１のコンデンサ４の充電電圧が閾値電圧Ｖｓまでの数秒程の時間を要するため、素早く間欠時間の切り換えを行うことが困難であるという課題があった。
【００２２】
本発明は、このような従来の課題を解決するものであり、短い間欠時間に設定変更した時に、直ぐにワイパー動作が行なわれ、使い勝手の良いワイパー制御装置を提供することを目的とする。
【課題を解決するための手段】
【００２３】
上記目的を達成するために本発明は、第１の可変抵抗の操作部の操作に連動する第２の可変抵抗を設けると共に、第２の可変抵抗の出力電圧の変化に応じてスイッチング手段を駆動させる検出手段を設けてワイパー制御装置を構成したものであり、第１の可変抵抗を操作した際に連動して第２の可変抵抗が操作され、第２の可変抵抗からの出力電圧が変化することにより、これを増幅部や信号保持部などの検出手段によって検出すると共にスイッチング手段を駆動させてワイパーを動作させることができ、雨量が増加した場合などに、短い間欠時間に設定変更すると直ぐにワイパーが動作するため、使い勝手の良いワイパー制御装置を得ることができるという作用を有するものである。
【発明の効果】
【００２４】
以上のように本発明によれば、短い間欠時間に設定変更した時に、直ぐにワイパー動作が行なわれ、雨量が増加した場合などに使い勝手の良いワイパー制御装置を実現できるという有利な効果が得られる。
【発明を実施するための最良の形態】
【００２５】
以下、本発明の実施の形態について、図１〜図５を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるワイパー制御装置のブロック回路図であり、同図において、１は絶縁樹脂製で略円筒状のレバー部で、略箱状のケース（図示せず）に複数の操作位置に揺動操作可能に装着されると共に、ケース内にはレバー部１の操作位置に応じて、所定の個別接点が例えばバッテリーなどのＤＣ１２Ｖの電源部２と接続される複数のスイッチ接点１Ａが設けられている。
【００２８】
そして、３は間欠動作モードであるＩＮＴ位置のスイッチ接点１Ａに一端が接続された第１の可変抵抗で、他端が第１のコンデンサ４に接続されて、レバー部１先端近傍の略リング状の操作部１Ｂの回動操作に伴ってその抵抗値が変化する。
【００２９】
なお、第１の可変抵抗３と第１のコンデンサ４により間欠動作の時間間隔を制御する可変手段６が形成されている。
【００３０】
また、２１は操作部１Ｂの回動操作に伴って第１の可変抵抗３と共に連動する第２の可変抵抗で、操作部１Ｂに連結された軸（図示せず）に第１の可変抵抗３と第２の可変抵抗２１が重ねて配置され一体となった可変抵抗器となっている。
【００３１】
そして、第２の可変抵抗２１の一端が第１の可変抵抗３と同じスイッチ接点１Ａに接続され、操作部１Ｂの操作に伴って可動接点である可変出力部２１Ａからの出力電圧が変化するようにしてレバースイッチ２２が形成されている。
【００３２】
なお、第２の可変抵抗２１は、操作部１Ｂを回動操作して第１の可変抵抗３の抵抗値を大から小に変化させた場合には、可変出力部２１Ａの出力電圧が小から大へと増加するように形成され、逆に、第１の可変抵抗３の抵抗値を小から大に変化させた場合には、可変出力部２１Ａの出力電圧が大から小へと減少するように形成されている。
【００３３】
また、７はリレー、８はトランジスタ等でアナログ信号をデジタル信号に変換するＡ／Ｄ変換部で、リレー７の開閉部７Ａがスイッチ接点１Ａとワイパーのモーター部１１との間に接続され、第１の可変抵抗３と第１のコンデンサ４との間がダイオードやＡ／Ｄ変換部８を介してリレー７に接続されてスイッチング手段９が形成されている。
【００３４】
そして、２３はオペアンプ等の増幅部で、第１の入力部２３Ａが第２の可変抵抗２１の可変出力部２１Ａに接続され、第２の入力部２３Ｂが抵抗２４Ａを介して可変出力部２１Ａに接続されると共に第２のコンデンサ２４Ｂを介してグランドに接続されている。
【００３５】
また、２５はダイオード２５Ａや保持用コンデンサ２５Ｂからなる信号保持部で、増幅部２３がダイオード２５Ａと保持用コンデンサ２５Ｂを介してグランド接続されると共に、ダイオード２５Ａと保持用コンデンサ２５Ｂ間がダイオードやＡ／Ｄ変換部８を介してリレー７に接続され、増幅部２３や信号保持部２５などによって検出手段２６が形成されている。
【００３６】
なお、１１はワイパーを作動するモーター部で、ＭＩＳＴやＬｏ及びＨｉ位置のスイッチ接点１Ａやリレー７の開閉部７Ａ他端及び第１のコンデンサ４他端がコネクタ等（図示せず）を介して接続されている。
【００３７】
また、１２はモーター部１１内に設けられた切換スイッチで、共通接点１２Ａが第１のコンデンサ４に接続されると共に、可動接点１２Ｂがワイパーの動作開始時には電源部２側の個別接点に、ワイパーの１往復動作終了時にはグランド側の個別接点に各々接続を切り換えるようになっている。
【００３８】
さらに、２７はトランジスタ等からなる解除手段で、ベース２７Ｂが切換スイッチ１２の共通接点１２Ａに、コレクタ２７Ｃが抵抗を介して保持用コンデンサ２５Ｂに、エミッタ２７Ｅがグランドに各々接続されている。
【００３９】
そして、レバースイッチ２２や可変手段６、スイッチング手段９、検出手段２６及び解除手段２７等によってワイパー制御装置３０が構成されている。
【００４０】
以上の構成において、図１に示すように、レバー部１をＯＦＦ位置から上方のＩＮＴ位置に揺動操作して電源部２とＩＮＴ位置に対応するスイッチ接点１Ａが接続すると、ワイパー制御装置３０は間欠動作のモードになる。
【００４１】
なお、レバー部１を他の操作位置であるＭＩＳＴやＬｏまたはＨｉに操作すると、電源部２と対応する個別接点が各々接続されて、ワイパーが瞬間動作モードや低速動作モードまたは高速動作モードに切り換わるようになっている。
【００４２】
そして、間欠動作モードでは、第１の可変抵抗３を介して電流が第１のコンデンサ４に充電され、図２（ａ）の電圧波形図の一つ目の波形に示すように、電流値に応じて次第に充電電圧が上昇し所定の閾値電圧Ｖｓに達すると、Ａ／Ｄ変換部８がリレー７に駆動信号を出力して開閉部７Ａが閉接し、モーター部１１が電源部２に接続されて、図２（ｃ）のタイムチャートに示すように、ワイパーが動作する。
【００４３】
なお、第１のコンデンサ４の閾値電圧Ｖｓまでの充電時間Ｔｉは、操作部１Ｂの操作によって設定された第１の可変抵抗３の抵抗値によって変化し、抵抗値が大きい場合は電流値が小さくなるため充電時間は長くなり、抵抗値が小さい場合は電流値が大きくなるため充電時間は短くなって、この充電時間Ｔｉがワイパー動作の間欠時間Ｔｉとなっている。
【００４４】
次に、通電されたモーター部１１によってワイパーが動作し始めると、切換スイッチ１２の可動接点１２Ｂがグランド側から電源部２側に接続を切り換えるため、モーター部１１は継続してワイパーを作動させると共に、同時に第１のコンデンサ４が放電する。
【００４５】
さらに、図２（ｃ）に示すように、ワイパーが動作時間Ｔａで１往復動作すると、切換スイッチ１２が電源部２側からグランド側へ接続を切り換えて、ワイパー動作が停止すると共に、再び第１の可変抵抗３を介して通電された第１のコンデンサ４が再び充電を開始する。
【００４６】
そして、以降、図２（ａ）の一つ目の波形と同様に、第１のコンデンサ４が充電して充電時間Ｔｉで閾値電圧Ｖｓに達すると、スイッチング手段９によってモーター部１１が通電されワイパーが動作するようにして、間欠時間Ｔｉでワイパー動作を繰返すようになっている。
【００４７】
このような構成において、例えば雨量が少なく約２０秒程の長い間欠時間に設定していた状態から、雨量が多くなって約３秒程度の短い間欠時間に設定変更する場合について説明する。
【００４８】
まず、図２（ａ）の二つ目の電圧波形に示すように、長い間欠時間の設定で第１のコンデンサ４がｔ１時点から徐々に充電中のｔ２時点において、間欠時間を短くするために、第１の可変抵抗３の操作部１Ｂを操作して抵抗値を小さくする。
【００４９】
そして、この時、操作部１Ｂの操作に連動して第２の可変抵抗２１の可動接点が移動し、可変出力部２１Ａからの出力電圧が増加して、図３（ａ）の電圧波形図に示すように、増幅部２３の第１の入力部２３Ａには可変出力部２１Ａから電圧Ｖａが入力されると共に、第２の入力部２３Ｂには破線で示す電圧Ｖｂが入力される。
【００５０】
なお、第２の入力部２３Ｂに入力される電圧Ｖｂは、可変出力部２１Ａが抵抗２４Ａを介して第２の入力部２３Ｂに接続されると共に第２の入力部２３Ｂが第２のコンデンサ２４を介してグランド接続されているため、電圧Ｖａに対して遅れて増加する。
【００５１】
ここで、増幅部２３は第２の入力部２３Ｂの電圧Ｖｂに対し第１の入力部２３Ａの電圧Ｖａが大きいプラスの電圧差を検出して増幅し、図３（ｂ）に示すように、増幅部２３から最大６Ｖ〜８Ｖの電圧が信号保持部２５へ出力される。
【００５２】
次に、図３（ｃ）に示すように、増幅部２３からの出力電圧が信号保持部２５の保持用コンデンサ２５Ｂによって保持され、約数ミリ秒で閾値電圧Ｖｓを超えた検出信号ＤがＡ／Ｄ変換部８に出力される。
【００５３】
そして、検出手段２６からの検出信号Ｄによって、図３（ｄ）や図２（ｂ）に示すように、Ａ／Ｄ変換部８からリレー７に駆動信号Ｓが入力されて、開閉部７Ａが閉接することによりワイパーが動作開始する。
【００５４】
なお、操作部１Ｂを操作して第２の可変抵抗２１からの出力電圧が変化した後、検出手段２６やスイッチング手段９を介してワイパーが動作するまで、数ミリ秒から十数ミリ秒程度の非常に短い時間で行なわれる。
【００５５】
そして、ワイパーが動作し始めると、切換スイッチ１２の可動接点１２Ｂがグランド側から電源部２側に接続を切り換え、モーター部１１は継続してワイパーを作動させると共に、同時に第１のコンデンサ４が放電する。
【００５６】
また、一方、切換スイッチ１２の接続の切り換えによって、解除手段２７のベース部２７Ｂに電圧が印加され、コレクタ２７Ｃとエミッタ２７Ｅが導通し保持用コンデンサ２５Ｂが放電することによって、信号保持部２５の電圧保持が解除され、Ａ／Ｄ変換部８への検出信号Ｄの出力が停止されるため駆動信号Ｓの出力が停止する。
【００５７】
さらに、図２（ｃ）の二つ目の波形に示すように、ワイパーが動作時間Ｔａで１往復動作すると、切換スイッチ１２が電源部２側からグランド側へ接続を切り換え、図２（ａ）の三つ目の波形に示すように、設定変更された第１の可変抵抗３を介して第１のコンデンサ４が充電されることにより、以降は変更された約３秒程度の短い間欠時間Ｔｘでワイパー動作を繰返す。
【００５８】
すなわち、ワイパーが動作を開始すると共に切換スイッチ１２が電源部２側に接続を切り換えると、ワイパー動作は継続する一方、解除手段２７が作動して駆動信号Ｓの出力を停止させることによって、信号保持部２５から検出信号Ｄが出力し続けることを防ぎ、この後は背景技術での説明と同様に、第１の可変抵抗３と第１のコンデンサ４の可変手段６からの出力によってスイッチング手段９が駆動するようになっている。
【００５９】
このように、雨量が増加した場合などに、短い間欠時間に設定変更するために操作部１Ｂを所定方向に回動操作して、第１の可変抵抗３の抵抗値を低減させた時に、操作部１Ｂの操作に連動して第２の可変抵抗２１の出力電圧が増加すると共に、この出力電圧の増加を増幅部２３や信号保持部２５が検出して、Ａ／Ｄ変換部８やリレー７などのスイッチング手段９を介して数ミリ秒から十数ミリ秒でワイパーを動作させる。
【００６０】
つまり、第１の可変抵抗３の操作部１Ｂに連動する第２の可変抵抗２１を設けて、第２の可変抵抗２１の出力電圧の変化を増幅部２３や信号保持部２５の検出手段２６によって検出すると共にこの変化に応じてＡ／Ｄ変換部８やリレー７などのスイッチング手段９を駆動させることによって、速やかにワイパーが動作するようになっている。
【００６１】
したがって、雨量が増加した場合などに、背景技術で説明したような、常に第１の可変抵抗３や第１のコンデンサ４による充電電圧によって間欠動作が制御されて、設定変更時にワイパーが動作するのに数秒程度要するものに比べ、間欠動作モードにおいて短い間欠時間に設定変更すると共に直ぐにワイパーが動作するため、前方視界を早めに良好にすることができる。
【００６２】
なお、上述の説明とは逆に、例えば自動車の運転時に雨量が多い状態から少ない状態へ変わり、ワイパー動作の間欠時間を短い設定から長い設定へ変更する場合には、第１の可変抵抗３の操作部１Ｂを回動操作して抵抗値を小から大に変更すると、操作部１Ｂの操作に連動して第２の可変抵抗２１の可変出力部２１Ａの出力電圧が低下する。
【００６３】
この時は、図４（ａ）の電圧波形図に示すように、第１の入力部２３Ａへの電圧Ｖａに対し第２の入力部２３Ｂへの電圧Ｖｂが遅れて低下して、電圧ＶａとＶｂの電圧差はマイナスの電圧となるため、図４（ｂ）に示すように、増幅部２３はマイナスの電圧を検出せず電圧信号を出力しない。
【００６４】
したがって、ワイパー制御装置３０は第１の可変抵抗３の通電電流による第１のコンデンサ４の充電電圧によって、スイッチング手段９を駆動させてワイパーを作動させるが、設定変更に伴って直ぐにはワイパーは動作しないものの、雨量が少なくなってきてワイパー動作の間欠時間を長くする状況下においては使用上、支障のないものである。
【００６５】
このように本実施の形態によれば、第１の可変抵抗３の操作部１Ｂに連動する第２の可変抵抗２１を設けて、第２の可変抵抗２１からの出力電圧の所定の変化を増幅部２３や信号保持部２５などからなる検出手段２６によって検出すると共にこの変化に応じてＡ／Ｄ変換部８やリレー７などからなるスイッチング手段９を駆動させることによって、雨量が増加した場合など短い間欠時間に設定変更すると共に直ぐにワイパーが動作するため、良好な前方視界を早めに得ることができ使い勝手の良いワイパー制御装置を実現することができる。
【００６６】
なお、以上の説明では、第１の可変抵抗３や第２の可変抵抗２１を操作部１Ｂの回動操作により連動する回転型可変抵抗器として説明したが、レバー部１またはその近傍にスライド操作部を設けて、このスライド操作に伴い二つの可変抵抗が連動するスライド型可変抵抗器を用いても本発明の実施は可能である。
【００６７】
また、以上の説明では、第１の可変抵抗３を操作して抵抗値が大から小に変化するのに伴い、第２の可変抵抗２１は可変出力部２１Ａの出力電圧が小から大へと増加するように形成して、可変出力部２１Ａからの増加する出力電圧を増幅部２３が検出して増幅するものとして説明したが、これとは逆に、図５のブロック回路図に示すように、第１の可変抵抗３の抵抗値が大から小に変化するのに伴い、可変出力部３１Ａの出力電圧が大から小へと減少するように形成された第２の可変抵抗３１を用いても良い。
【００６８】
つまり、この場合には可変出力部３１Ａを増幅部２３の第１の入力部２３Ａに抵抗２４Ａを介して接続すると共に第１の入力部２３Ａを第２のコンデンサ２４Ｂを介してグランド接続し、第２の入力部２３Ｂを直接、可変出力部３１Ａに接続することによって、可変出力部３１Ａの出力電圧が減少すると、可変出力部３１Ａから直接入力された第２の入力部２３Ｂの電圧Ｖｂに対し、抵抗２４Ａや第２のコンデンサ２４Ｂに接続された第１の入力部２３Ａに入力される電圧Ｖａは遅れて減少し電圧Ｖｂより電圧値が高くなるため、電圧ＶａとＶｂとはプラスの電圧差となって増幅部及び信号保持部に検出されると共にスイッチング手段９が駆動し、ワイパーを直ぐに作動することができる。
【産業上の利用可能性】
【００６９】
本発明によるワイパー制御装置は、短い間欠時間に設定変更した時に、直ぐにワイパー動作が行なわれ、使い勝手の良いものを実現することができ、主に自動車のワイパーに用いられるワイパー制御装置等に有用である。
【図面の簡単な説明】
【００７０】
【図１】本発明の一実施の形態によるワイパー制御装置のブロック回路図
【図２】同動作説明図
【図３】同電圧波形図
【図４】同電圧波形図
【図５】他の実施形態による要部ブロック回路図
【図６】従来のワイパー制御装置のブロック回路図
【図７】同動作説明図
【符号の説明】
【００７１】
１  レバー部
１Ａ  スイッチ接点
１Ｂ  操作部
２  電源部
３  第１の可変抵抗
４  第１のコンデンサ
６  可変手段
７  リレー
７Ａ  開閉部
８  Ａ／Ｄ変換部
９  スイッチング手段
１０、３０  ワイパー制御装置
１１  モーター部
１２  切換スイッチ
１２Ａ  共通接点
１２Ｂ  可動接点
２１、３１  第２の可変抵抗
２１Ａ、３１Ａ  可変出力部
２２  レバースイッチ
２３  増幅部
２３Ａ  第１の入力部
２３Ｂ  第２の入力部
２４Ａ  抵抗
２４Ｂ  第２のコンデンサ
２５  信号保持部
２５Ａ  ダイオード
２５Ｂ  保持用コンデンサ
２６  検出手段
２７  解除手段
２７Ｂ  ベース
２７Ｃ  コレクタ
２７Ｅ  エミッタ
【図１】
2009096244.tif 000003
【図２】
2009096244.tif 000004
【図３】
2009096244.tif 000005
【図４】
2009096244.tif 000006
【図５】
2009096244.tif 000007
【図６】
2009096244.tif 000008
【図７】
2009096244.tif 000009